(57)【要約】【課題】  制動試験時に生じる摩擦熱による制動子への影響を軽減することのできるエレベーターの非常止め装置を提供する。【解決手段】  昇降路に立設されたガイドレール１により案内される昇降体２に設けられ、ガイドレール１に対向する摺動面２１および下端から上端に向かって先細り状に傾斜する傾斜面２２を有する制動子２０を備え、非常時に制動子２０をガイドレール１に押圧し昇降体２を非常停止するエレベーターの非常止め装置において、前記制動子２０の摺動面２１は、中央部が平坦であって、上下端部が前記ガイドレール１から離れる方向に傾斜するテーパ21ｂ，２１ｃを有し、２回目の制動試験時に前記中央部が前記ガイドレール１と接触するように構成する。【選択図】図１
2006131384.tif 000002
【特許請求の範囲】
【請求項１】
昇降路に立設されたガイドレールにより案内される昇降体に設けられ、前記ガイドレールに対向する摺動面および下端から上端に向かって先細り状に傾斜する傾斜面を有する制動子を備え、非常時に前記制動子を前記ガイドレールに押圧し前記昇降体を非常停止するエレベーターの非常止め装置において、前記制動子の摺動面は、中央部が平坦であって、上下端部が前記ガイドレールから離れる方向に傾斜するテーパを有し、２回目の制動試験時に前記中央部が前記ガイドレールと接触するように構成されていることを特徴とするエレベーターの非常止め装置。
【請求項２】
請求項１において、前記摺動面の中央平坦部に、前記ガイドレールに対して直交する方向に複数形成される溝部を備えたことを特徴とするエレベーターの非常止め装置。
【請求項３】
請求項１において、前記テーパは、肉厚の薄い上端部は小さく、肉厚の厚い下端部は大きく傾斜するように形成されていることを特徴とするエレベーターの非常止め装置。
【請求項４】
昇降路に立設されたガイドレールにより案内される昇降体に設けられ、前記ガイドレールに対向する摺動面および下端から上端に向かって先細り状に傾斜する傾斜面を有する制動子を備え、非常時に前記制動子を前記ガイドレールに押圧し前記昇降体を非常停止するエレベーターの非常止め装置において、前記制動子の摺動面は、中央部が平坦であって、上下端部が前記ガイドレールから離れる方向に傾斜するテーパを有し、前記テーパは、肉厚の薄い上端部は小さく、肉厚の厚い下端部は大きく傾斜するように形成されていることを特徴とするエレベーターの非常止め装置。
【請求項５】
請求項４において、前記摺動面の中央平坦部に、前記ガイドレールに対して直交する方向に複数形成される溝部を備えたことを特徴とするエレベーターの非常止め装置。
【発明の詳細な説明】
【技術分野】
【０００１】
本発明は、エレベーターの非常止め装置に係り、特に非常時に制動子をガイドレールに押圧し昇降体を非常停止するエレベーターの非常止め装置に関するものである。
【背景技術】
【０００２】
従来、ガイドレール１によって案内される昇降体２に設けられる非常止め装置３は、図３に示すように、非常時にガイドレール１に押圧される制動子４を備えている。そして、この制動子４は、図４に示すように、通常はガイドレール１から離れて保持され、昇降体２の下降速度が所定値を超えたときに昇降体２に対して上昇し、非常止め装置３の押圧体５の斜面及びローラ６を介してガイドレール１面に押圧される。また、従来の非常止め装置３として、例えば、図５に示すように、制動子４の押圧面、すなわち摺動面４ａに、頂角が鈍角の突歯１０を形成し、さらに、摺動面４ａの昇降方向における端部１１を傾斜させ、該傾斜面の昇降方向における長さを突歯１０の昇降方向の長さの半分にしたものがある。このように構成される従来の非常止め装置３によれば、制動子４に頂角が鈍角の突歯１０を設け、制動子４とガイドレール１との間の摩擦係数を大きくすることにより、装置の小型化を図ることができるとともに、切粉の発生を極力抑制し、摩擦係数の変動が少ない安定した制動力を得ることができる（例えば、下記特許文献１参照）。
【０００３】
【特許文献１】実開昭６３−１８４５８号公報（５頁４行目〜８頁１行目）
【発明の開示】
【発明が解決しようとする課題】
【０００４】
ところで、近時、高速の定格速度を有するエレベーターにあっては、同一制動子を用いて非常止め装置を２回或いはそれ以上連続して試験することが規定されている場合がある。しかしながら、従来の上記制動子４では、上述した規定に基づき制動試験を行った場合、制動時の制動子４の温度が高温となり、この熱による影響で制動子４上下端面がガイドレール１に対して反り返るという解析結果が得られた。すなわち、図６に示すように、１回目の制動試験前の制動子４は、ガイドレール１に対して平行に対向するように摺動面
４ａを有している。しかし、図７に示すように、制動試験時に発生する摩擦熱により制動子４の上下端部が熱変形するとともに、図８に示すように、ガイドレール１に摺動する制動子４の中央部のみ磨耗する。この後、制動試験が終了して制動子４が冷えると、図９に示すように、熱変形は回復するが、ガイドレール１に対向する摺動面４ａの中央部が磨耗した形状となる。この制動子４に対して応力分布状況の解析を行った結果、制動子４の上端に高い応力が発生し、変位が認められた。このような形状となった制動子で２回目の制動試験を実施すると、図１０に示すように、曲げモーメントが生じるとともに、中央部が接触しない状態での試験となり、１回目の制動試験時と異なる制動特性となるという問題が生じる。
【０００５】
尚、上述した従来の制動子の昇降路方向における端部は確かに面取りが施されているが、この面取りは、ガイドレールとの接触をスムーズにするものであり、制動試験に伴う摩擦熱による制動子の影響に対応するものではない。
【０００６】
本発明は、従来技術における上記課題に着目してなされたもので、その目的は、制動試験時に生じる摩擦熱による制動子への影響を軽減することのできるエレベーターの非常止め装置を提供することにある。
【課題を解決するための手段】
【０００７】
上記目的を達成するために、本発明は、昇降路に立設されたガイドレールにより案内される昇降体に設けられ、前記ガイドレールに対向する摺動面および下端から上端に向かって先細り状に傾斜する傾斜面を有する制動子を備え、非常時に前記制動子を前記ガイドレールに押圧し前記昇降体を非常停止するエレベーターの非常止め装置において、前記制動子の摺動面は、中央部が平坦であって、上下端部が前記ガイドレールから離れる方向に傾斜するテーパを有し、２回目の制動試験時に前記中央部が前記ガイドレールと接触するように構成されていることを特徴とする。
【０００８】
このように構成した本発明によれば、前記制動子の摺動面を、中央部は平坦に、上下端部は前記ガイドレールから離れる方向に傾斜するテーパを有するように構成されているため、１回目の制動試験で中央部が磨耗するが、この制動試験終了後、制動子が冷却して熱変形が回復した時、中央部と上下端部は水平な状態（図６の状態）となる。そして、２回目の制動試験では、中央部がガイドレールと接触する状態（図７の状態）となり、１回目と同様の制動試験を行うことができ、安定した制動特性を得ることができる。
【発明の効果】
【０００９】
本発明によれば、制動試験時に生じる摩擦熱による制動子への影響を軽減することのできるエレベーターの非常止め装置を提供することができる。
【発明を実施するための最良の形態】
【００１０】
以下、本発明に係るエレベーターの非常止め装置の実施形態について、図面に基づいて説明する。
【００１１】
図１は、本発明のエレベーターの非常止め装置の実施形態の要部構成を示す側面図、図２は、図１の平面図である。尚、非常止め装置の基本構成に関しては、上述した図３を参照して説明する。
【００１２】
本実施形態のエレベーターの非常止め装置３は、図１に示すように、ガイドレール１に対向する摺動面２１および下端から上端に向かって先細り状に傾斜する傾斜面２２を有する制動子２０が設けられている。更に、前記摺動面２１は、その中央部が平坦な摺動面
２１ａであって、この平坦な摺動面２１ａの上端および下端部がそれぞれの端部に向かってガイドレール１から離れる方向に傾斜するテーパ２１ｂ，２１ｃを有している。そして、肉厚の薄い上端部のテーパ２１ｂは小さく傾斜するように形成され、肉厚の厚い下端部のテーパ２１ｃは大きく傾斜するように形成されている。
【００１３】
また、制動子２０の平坦な摺動面２１ａには、加工し易くかつ制動特性を向上させるため、図２にも示すように、ガイドレール１に対して直交する方向に複数形成される溝部
２３が備えられている。ここで、溝部での熱変形の応力集中を避けるために、溝部の底部を略Ｕ字形状又は略半円形状とするのが望ましい。
【００１４】
このように、前記制動子の摺動面２１を、中央部は平坦に、上下端部はガイドレール１から離れる方向に傾斜するテーパ２１ｂ，２１ｃを有するように構成されているため、１回目の制動試験で中央部が磨耗するが、この制動試験終了後、制動子が冷却して熱変形が回復した時、中央部と上下端部は水平な状態（図６の状態）となる。そして、２回目の制動試験では、中央部がガイドレールと接触する状態（図７の状態）となり、１回目と同様の制動試験を行うことができ、安定した制動特性を得ることができる。
【００１５】
また、本実施形態のエレベーターの非常止め装置は、特に、高速の定格速度を有するエレベーターに利用されるため、低速の定格速度を有するエレベーターに利用される場合と異なり、制動子の磨耗が大きいが、上述のように構成することで、安定した制動特性を得ることができる。
【図面の簡単な説明】
【００１６】
【図１】本発明のエレベーターの非常止め装置の実施形態の要部構成を示す正面図である。
【図２】図１の平面図である。
【図３】従来のエレベーターの非常止め装置の構成を示す正面図である。
【図４】従来の非常止め装置の要部断面図である。
【図５】従来の制動子の平面図である。
【図６】従来の非常止め装置の制動試験を説明する図である。
【図７】従来の非常止め装置の制動試験を説明する図である。
【図８】従来の非常止め装置の制動試験を説明する図である。
【図９】従来の非常止め装置の制動試験を説明する図である。
【図１０】従来の非常止め装置の制動試験を説明する図である。
【符号の説明】
【００１７】
１…ガイドレール、２…昇降体、３…非常止め装置、２０…制動子、２１…摺動面、
２１ａ…平坦な摺動面、２１ｂ，２１ｃ…テーパ、２２…傾斜面、２３…溝部。
【図１】
2006131384.tif 000003
【図２】
2006131384.tif 000004
【図３】
2006131384.tif 000005
【図４】
2006131384.tif 000006
【図５】
2006131384.tif 000007
【図６】
2006131384.tif 000008
【図７】
2006131384.tif 000009
【図８】
2006131384.tif 000010
【図９】
2006131384.tif 000011
【図１０】
2006131384.tif 000012